(57)【特許請求の範囲】
【請求項１】
厚み方向に貫通する少なくとも一本の長溝が下方に形成された断面が略Ｉ字状の商品仕切り板本体と、
前記商品仕切り板本体の後方側に該商品仕切り板本体から側方に突出するように設けられた商品押圧体と、
該商品仕切り板を前後方向に引き出し自在に摺動可能にする幅を有し、上端から下方に延出し前後方向に貫通する深溝が略中央部に形成され、該深溝により分断された左部材の該深溝側端面と右部材の該深溝側端面からそれぞれ該深溝内に突出する該長溝に摺動可能に係合する商品仕切り板拘束部材を有する商品転落防止体と、を備えることを特徴とする商品前出し具。
【請求項２】
前記商品仕切り板本体の後方に、水平板と、該水平板の該商品仕切り板側の一端から起立して商品仕切り板の後方下部に連接される鉛直板からなる断面がＬ字状の後方固定部材を設けたものである請求項１記載の商品前出し具。
【請求項３】
前記商品転落防止体の下端には、左右方向に所定幅を有し下方に延出する前方係止突起を有するか、又は左右方向に所定幅を有し下方に延出する前方係止突起と該前方係止突起と同じ幅を有し下方に延出する後方係止突起とで形成される凹状係合部を有することを特徴とする請求項１又は２記載の商品前出し具。
【発明の詳細な説明】
【０００１】
【発明の属する技術分野】
本発明は、主にコンビニエンスストアーやスーパー等の店内に設置されている商品陳列棚等に載置することにより用いられ、商品の手動前出しが容易に出来る商品前出し具に関する。
【０００２】
【従来の技術】
従来、コンビニエンスストアーやスーパー等では、図１０に示すような商品陳列ケース５０の各商品陳列棚５１に、多種類の商品５２が豊富に陳列されている。商品５２は手前の方から売れてゆくため、必然的に手前の部分が空くことになるから、奥にある商品５２を手前に出す所謂前出し作業が必要となる。この為、種々の自動又は半自動の前出し機能を備えた商品陳列棚又は商品前出し具が多数提案されている。例えば、収納ケース５３の底部に多数のローラ５４が商品陳列ケース５０の扉５５側に下り勾配となるように取り付けられた商品陳列ユニット５６がある（特開平８−２４０９１号公報参照）。この商品陳列ユニット５６は、商品５２を仕切る機能を有する側板５７、５７における幅寸法が決められているから、その幅寸法に適合する商品５２のみが利用できる。従って、商品５２のサイズに合わせた複数種類の商品陳列ユニット５６を取り揃えておく必要がある。また、商品仕切り板に商品押圧体を取り付けることにより簡易な構造とした商品前出し具も種々開示されている（実公平５−２７８９４号、実開昭６３−１４０２５４号、実開平４−１２５７６１号）。
【０００３】
【発明が解決しようとする課題】
しかしながら、従来の商品陳列ユニット５６は、上記の通り複数種類のものを取り揃えておく必要があるから、その費用が高く管理も煩雑となりやすい。また、この商品陳列ユニット５６はサイズが決まっているから、商品陳列ケース５０内の各商品陳列棚５１の模様替えをするときの自由度が低く、やりずらい。更に、この商品陳列ユニット５６は、商品５２毎に１台必要になり、その製作費用が高くなりがちである。また、従来の商品仕切り板に商品押圧体を取り付けた商品前出し具は、仕切り板自体が商品陳列棚から外れるため、商品と共に棚外へ引っ張り出す危険があったり、幅の微調整が困難であったり、棚板への固定がフリーの状態であるため、断面の丸い缶ジュース等を前出しする場合、斜め方向に強く引くとユニットの位置がずれ、陳列商品の陳列姿勢が大きく崩れる等の問題を有している。
【０００４】
従って、本発明の目的は、棚板から分離することなく棚板上の所望の位置に容易に移動でき、簡易な構造で商品仕切り機能と商品前出し機能を矩形状部材の組み込んだ見栄えのよい商品前出し具を提供することである。
【０００５】
【課題を解決するための手段】
上記目的を達成するために本発明の商品前出し具は、厚み方向に貫通する少なくとも一本の長溝が下方に形成された断面が略Ｉ字状の商品仕切り板本体と、前記商品仕切り板本体の後方側に該商品仕切り板本体から側方に突出するように設けられた商品押圧体と、該商品仕切り板を前後方向に引き出し自在に摺動可能にする幅を有し、上端から下方に延出し前後方向に貫通する深溝が略中央部に形成され、該深溝により分断された左部材の該深溝側端面と右部材の該深溝側端面からそれぞれ該深溝内に突出する該長溝に摺動可能に係合する商品仕切り板拘束部材を有する商品転落防止体と、を備えることを特徴とする。本発明においては、後方に商品押圧体を設けた商品仕切り板を、該商品仕切り板の設置位置を規制する商品転落防止体に引き出し可能な状態に取り付けたことにより、商品仕切り板が引き出し杆ともなるため、商品仕切り機能と商品前出し機能を一つの矩形状部材に発現できるため、極めて簡易な構造とすることができる。このため、棚板上に陳列する商品の陳列容積を大きくとることができる。また、部品点数が少なく安価である。
【０００６】
また、本発明の商品前出し具は、前記商品仕切り板本体の後方に、水平板と、該水平板の該商品仕切り板側の一端から起立して商品仕切り板の後方下部に連接される鉛直板からなる断面がＬ字状の後方固定部材を設けたものであることを特徴とする。本発明においては、商品仕切り板本体の後方に、該商品仕切り板本体を棚板上に安定に配置するための後方固定部材を設けたことにり、商品前出しの際、引き出し杆の引き出し操作が安定して行え、商品の陳列姿勢を崩すことなく円滑に前出しされる。
【０００７】
また、本発明の商品前出し具は、前記商品転落防止体の下端には、左右方向に所定幅を有し下方に延出する前方係止突起を有するか、又は左右方向に所定幅を有し下方に延出する前方係止突起と該前方係止突起と同じ幅を有し下方に延出する後方係止突起とで形成される凹状係合部を有することを特徴とする。
【０００８】
【発明の実施の形態】
本発明の第１の実施の形態について、図１〜図５を参照して説明する。
図１は本発明の第１の実施の形態における商品前出し具の構成を示す斜視図、図２は商品転落防止体と商品仕切り板本体の長溝との係り具合を説明するための一部の拡大図、図３は図１のＡ−Ａ線に沿った断面図、図４は図１のＢ−Ｂ線に沿った断面図、図５は図１の商品前出し具を棚板に組付けた全体の構成を示す斜視図を示す。
【０００９】
図１〜図４において、１０は棚板４０上に互いに平行に配置される合成樹脂製の商品前出し具であり、この商品前出し具１０は、棚板４０の前後方向に延在する長さにほぼ相当する長さであり、下方に二本の長溝１１、１１が形成されており、断面が略Ｉ字状で外観が矩形状の商品仕切り板本体１と、この商品仕切り板本体１の後方側に商品仕切り板本体１から側方に突出するように設けられた形状が楕円柱状の商品押圧体２と、二本の長溝１１、１１に摺動可能に係合する商品転落防止体３とを備えている。また、商品仕切り板本体１の前方には、これを前方に引き出す際、指の掛かり具合いを良くするための丸穴４が形成されており、また、商品取り出し側の上方の角は商品の取り出しを容易にし、且つ顧客の指の怪我防止のためその角はカットされている。
【００１０】
商品転落防止体３はその略中央部に商品仕切り板本体が前後方向に引き出し自在に摺動可能な程度の幅を有する深溝３１が形成され、深溝３１には商品転落防止体３の左部材と右部材から突出し、二本の長溝１１、１１に摺動可能に係合する各２個の商品仕切り板拘束部材３５、３５が設けられている。また、商品転落防止体３には棚板４０の左右方向に配設された棚板前方係合手段８の係合溝８１に係合する前方係止突起３２と、更に確実な係合を行わせるための後方係止突起３３とが形成されている。
【００１１】
商品押圧体２は、外筒２１と外筒２１に摺動自在に嵌められた内筒２２を有しており、内筒２２を引き出すことにより商品を押圧する面積を拡大するものである。外筒２１と内筒２２とは、外筒２１の上方内側に設けられた突出防止用突起２１１と、内筒２２の下方外側に設けられた突出防止用突起２２１との当接により、内筒２２が外筒２１から外れないようにしており、また、内筒２２はキャップ２２３を設けることにより、外筒２１の中に内筒２２が入り込まないようにしている。
【００１２】
次に、第１の実施の形態における商品前出し具の使用方法について説明する。先ず、必要数の商品前出し具１０を用意する。次に、棚板４０の左右方向に配設された棚板前方係合手段８の係合溝８１に、商品転落防止体３の前方係止突起３２を嵌め、商品前出し具１０を棚板４０上に載置する。この操作を必要数の商品前出し具１０について行う。そして、図５に示すように、商品前出し具１０間に商品Ａを置き、商品Ａを挟む２個の商品前出し具１０の間隔を、その商品転落防止体３を係合溝８１にスライド移動させながら、商品Ａの幅より僅かに広めの間隔となるように微調整する。これを陳列商品毎に繰り返す。更に、商品を追加して陳列したい場合は、必要数の商品前出し具１０を追加し、同様の方法でセットすればよい。この状態で最前列の商品Ａが取り出された後、丸穴４を含むように指を掛け、商品仕切り板本体１を前方に引き出せば、商品押圧体２が最後尾の商品Ａを当接して、商品全体が前出しされる。商品押圧体２と商品転落防止体３とで全体商品Ａを挟みこんで、商品の前出しは完了する。
【００１３】
第１の実施の形態によれば、商品仕切り板が引き出し杆ともなるため、商品仕切り機能と商品前出し機能を兼備する極めて簡易な構造とすることができる。このため、棚板上に陳列する商品の陳列容積を大きくとることができる。また、部品点数が少なく安価である。
【００１４】
図６は本発明の第２の実施の形態である商品前出し具２０を棚板に組付けた全体の構成を示す斜視図である。図６中、図４と同一構成要素には同一符号を付して、その説明を省略し異なる点についてのみ説明する。すなわち、図５の商品前出し具２０において、第１の実施の形態における商品前出し具１０と異なる点は、商品押圧体２を商品押圧面積が不変の楕円柱部材とした点、及び棚板の前端部に左右方向に沿い配設された係合溝２０３を設け、係合溝２０３に偏平係合片９１を差し込んで固定される断面が丸状の凸状結合手段９（丸棒部材）を設け、これに商品転落防止体３を該結合手段９の長手方向に摺動可能なように取り付けた点である。この場合、商品転落防止体３の前方係止突起３２と後方係止突起３３とで形成される溝３４は、丸棒部材９に嵌め込んだ場合、左右方向に摺動可能なように固定できる形状とする。
【００１５】
第２の実施の形態である商品前出し具２０によれば、第１の実施の形態例と同様の効果を奏する他、商品転落防止体の係合部を結合手段に係合したまま棚板から分離することなく棚板上の所望の位置に容易に移動でき、商品前出し具を所望の位置に容易にセットできる。また、従来のように、棚板の前端部に配設した凹部結合手段と商品前出し具の凸部結合手段との係合関係と異なり、この係合関係が逆であるため、係合部外観が丸みを帯びて捉えられ意匠上の見栄えもよい。
【００１６】
図７は本発明の第３の実施の形態である商品前出し具３０の斜視図を示す。図７中、図１と同一構成要素には同一符号を付して、その説明を省略し異なる点についてのみ説明する。すなわち、図７の商品前出し具３０において、第１の実施の形態における商品前出し具１０と異なる点は、商品仕切り板本体１の後方に、商品仕切り板本体１を棚板４０上に安定に配置するための断面がＬ字状の後方固定部材５を設けた点にある。すなわち、後方固定部材５は棚板４０上に接する水平板５１及び水平板５１の片端から起立して商品仕切り板１の後方下部に連接される鉛直板５２からなる。すなわち、後方固定部材５の水平板５１は商品押圧体２の設置側に形成されることにより、商品の前出しの際、引き出し杆の引き出し操作が安定して行える作用を奏する他、商品押圧体２の反対側に形成されていないため、引き出し杆１の引き出し操作の際、この側に陳列される商品（前出しを意図しない商品）を連れて引き出すことがない。
【００１７】
図８は本発明の第４の実施の形態である商品前出し具３０の斜視図を示し、図９は図８のＤ−Ｄ線に沿う図を示す。図８及び図９中、図１と同一構成要素には同一符号を付して、その説明を省略し異なる点についてのみ説明する。すなわち、図８の商品前出し具３０ａにおいて、第１の実施の形態における商品前出し具１０と異なる点は、商品仕切り板本体１の二本の長溝１１、１１に摺動自在に商品前出し体４０を設けた点にある。すなわち、商品前出し体４０は図８及び図９に示すように、棚板の上面と接着するマグネット９０が裏面に貼付された基部４０１と、この基部４０１から斜め後方上部に向け延在する主押圧部材４０３を備える。商品前出し体４０の支持手段５０は商品仕切り板本体１の二本の長溝１１、１１を含む下方部と、当該下方部に商品仕切り板本体１の長手方向に沿い摺動可能に係合され、商品前出し体４０の基部４０１に連結された係合部４０４とから構成される。
【００１８】
このように構成された商品前出し具３０ａは商品仕切り本体１を前方に引き出せば、商品前出し体４０がマグネットの接着力に対抗して棚板より離れ、最後尾の商品を当接して、商品全体が前出しされる。次に、商品仕切り本体１を後方に押し戻せば、商品前出し体４０はマグネット力により置き去りにされ陳列姿勢を取り、商品仕切り本体１は後方に収納される。
【００１９】
以上、本発明の実施形態を説明したが、具体的な構成はこれに限定されず、本発明の要旨を逸脱しない範囲での変更、追加は本発明の範囲内である。例えば、商品転落防止体の大きさとしては、特に制限されず、横に幅広のもの、また、背の高いもの等も使用できる。
【００２０】
【発明の効果】
請求項１記載の発明によれば、後方に商品押圧体を設けた商品仕切り板を、該商品仕切り板の設置位置を規制する商品転落防止体に引き出し可能な状態に取り付けたことにより、商品仕切り板が引き出し杆ともなるため、商品仕切り機能と商品前出し機能を兼備する極めて簡易な構造とすることができる。このため、棚板上に陳列する商品の陳列容積を大きくとることができる。また、部品点数が少なく安価である。
【００２１】
請求項２記載の発明によれば、商品仕切り板本体の後方に、該商品仕切り板本体を棚板上に安定に配置するための後方固定部材を設けたことにり、商品前出しの際、引き出し杆の引き出し操作が安定して行える。請求項３記載の発明によれば、幅広の商品を前出しする際、商品を押圧する面積を幅方向に広く採れるため、商品を安定且つ確実に前出しできる。また、請求項４記載の発明によれば、商品転落防止体の係合部を結合手段に係合したまま棚板から分離することなく棚板上の所望の位置に容易に移動でき、商品前出し具を所望の位置に容易にセットできる。また、従来のように、棚板の前端部に配設した凹部結合手段と商品前出し具の凸部結合手段との係合関係と異なり、この係合関係が逆であるため、係合部外観が丸みを帯びて捉えられ意匠上の見栄えもえよい。
【図面の簡単な説明】
【図１】本発明の第１の実施の形態における商品前出し具の構成を示す斜視図である。
【図２】図１の商品前出し具における商品転落防止体と長溝との係り具合を説明する一部の拡大図である。
【図３】図１のＡ−Ａ線に沿った断面図を示す。
【図４】図１のＢ−Ｂ線に沿った断面図を示す。
【図５】図１の商品前出し具を棚板に組付けた全体の構成を示す斜視図を示す。
【図６】本発明の第２の実施の形態における商品前出し具を棚板に組付けた全体の構成を示す斜視図を示す。
【図７】本発明の第３の実施の形態における商品前出し具の構成を示す斜視図である。
【図８】本発明の第４の実施の形態における商品前出し具の構成を示す斜視図である。
【図９】図８のＤ−Ｄ線に沿った断面図を示す。
【図１０】従来の商品前出し具を示す。
【符号の説明】
１          商品仕切り板本体
２、２ａ    商品押圧体
３          商品転落防止体
４          丸穴
５          後方固定部材
８、９      棚板前方係合手段
１０、２０、３０    商品前出し具
１１          案内溝
２１          外筒
２２          内筒
３１          溝部
３２          前方係止突起
３３          後方係止突起
３４          溝
３５          商品仕切り板拘束部材
４０          棚板
８１          係合溝
２０３          棚板前方係合溝
２１１、２２１  突出防止用突起
２２２          胴体部
２２３          キャップ部
【図１】
0004225439.tif 000002
【図２】
0004225439.tif 000003
【図３】
0004225439.tif 000004
【図４】
0004225439.tif 000005
【図５】
0004225439.tif 000006
【図６】
0004225439.tif 000007
【図７】
0004225439.tif 000008
【図８】
0004225439.tif 000009
【図９】
0004225439.tif 000010
【図１０】
0004225439.tif 000011